(57)【要約】【課題】  ＬＥＤの場合、その放射される光（紫外線も含む）は指向性が高く、電球やロウソクの火のように３６０度、全球的に放射されるものではない。そのため、スポットライトのようになる。そこで、本発明では、ＬＥＤを用いて、且つ広い範囲に対して放射できるＬＥＤ放射器を提供する。【解決手段】  少なくとも３つの平面板を、その断面が互いに平面板の数の矩形を形成するように固定したものであって、そのそれぞれの平面板の外側で長手方向に複数のＬＥＤを固定したものをカバー内に収納したもの。【選択図】  図４
2015204782.tif 000002
【特許請求の範囲】
【請求項１】
少なくとも３つの平面板を、その断面が互いに平面板の数の矩形を形成するように固定したものであって、そのそれぞれの平面板の外側で長手方向に複数のＬＥＤを固定したものをカバー内に収納したことを特徴とするＬＥＤ放射器。
【請求項２】
互いの平面板の間には空間があり、空気が流通できるものである請求項１記載のＬＥＤ放射器。
【請求項３】
該カバー内にファンを設けたものである請求項２記載のＬＥＤ放射器。
【発明の詳細な説明】
【技術分野】
【０００１】
本発明は、ＬＥＤ放射器に関するものである。
【背景技術】
【０００２】
近時、ＬＥＤ（発光ダイオード）は消費電力が少なく、かつその寿命が長いことから、多用されてきている。即ち、従来電球や蛍光灯が使用されていた照明用灯、広告灯等に替わって使用されてきている。
【０００３】
また、紫外線を放射（出すこと、照射）するＬＥＤも開発されてきたため、水銀等の環境の問題の多い従来の紫外線ランプもＬＥＤに替えることが考えられてきている。
【０００４】
ＬＥＤの場合、その放射される光（紫外線も含む）は指向性が高く、電球やロウソクの火のように３６０度、全球的に放射されるものではない。そのため、一つのＬＥＤモジュールから出る光はスポットライトのようになり、通常の照明用としてはほとんど使えない。よって、特許文献１のように、多数のＬＥＤを並べて設置し、且つ、天井に設けるライトのように下方（一方側）にのみ放射するようにするものである。
【０００５】
また、紫外線を利用するものとしては捕虫器がある。これは、紫外線を放射し、それによって昆虫類を誘引し捕獲、捕虫するものである。例えば、食品工場では、そこに虫等が入ることは衛生上許されない。そこでその入口出口は、昆虫類の侵入を防ぐため厳重な管理を行っている。しかし、人や物、加工する野菜などに付着して侵入するため完全に防除することはできない。
そこで、侵入した虫を減らすため、または、侵入した虫をモニタリングするため捕虫器が使用されている。
【先行技術文献】
【特許文献】
【０００６】
【特許文献１】特開２０１４−３８８５３号公報
【発明の概要】
【発明が解決しようとする課題】
【０００７】
しかし、上記の特許文献１の装置では、その図面から明らかなように、光は１方向にしか放射されない。よって、天井等に取り付ける照明用等にしか使えない。
【０００８】
また、上記した捕虫器に関して説明すると、前記した通りＬＥＤは放射が全方位的ではなく、非常に狭い範囲にシャープに放射される。虫にとって、夜間の光は飛翔する際に天空方向を意味しており、スポット的な点光源ではなく、全周的、全体的な光源でなければ誘因性が著しく欠け、広い範囲からの虫の誘引が難しくなる。また、捕虫器の構造から言っても、粘着剤や吸引装置等、捕虫する部分が、紫外線放射の影の部分（そちらに放射されていない）に位置しているものでは、虫を捕えるという機能を充分果たすことが出来ない。即ち、捕獲装置（粘着剤部等）に最終的に行かないのである。勿論、捕虫効果は低下する。
【０００９】
また、ＬＥＤは熱を発生させるため、放熱具（装置）が必要である。実際の直管式の蛍光灯型ＬＥＤランプでは、正面側にＬＥＤ、背面に放熱具が設けられている。放熱具としては表面積を大きくした金属板等である。
【００１０】
そこで、本発明では、ＬＥＤを用いて、且つ広い範囲に対して放射できるＬＥＤ放射器を提供する。
【課題を解決するための手段】
【００１１】
以上のような状況に鑑み、本発明者は鋭意研究の結果本発明ＬＥＤ放射器を完成したものであり、その特徴とするところは、少なくとも３つの平面板を、その断面が互いに平面板の数の矩形を形成するように固定したものであって、そのそれぞれの平面板の外側で長手方向に複数のＬＥＤを固定したものをカバー内に収納した点にある。
【００１２】
ＬＥＤとは、発光ダイオードと呼ばれるもので、順方向に電圧をかけると発光する半導体である。勿論、人間に認識できるように開発されたものであるため、可視光がメインであるが、最近では紫外線を放射するものも開発されてきている。
本発明では可視光でも紫外線でもよい。紫外線用としては、少なくとも波長が３６５ｎｍ〜３７５ｎｍ程度の紫外線を放射するものである必要がある。
本発明のＬＥＤ放射器という語は、ＬＥＤによって電磁波を放射する器具という意味である。
【００１３】
勿論、可視光と紫外線の両方を出すものでもよい。また、ＬＥＤは複数であるので、紫外線を出すものと可視光を出すものとを混合してもよい。さらに、同じ紫外線や可視光であっても、異なる波長の光（電磁波という意味）を出すＬＥＤを混合してもよい。そうすることによって、広い範囲の波長の電磁波を放射することができる。
【００１４】
ここでいう平面板はＬＥＤを多数（通常は５個〜３０個、好ましくは１０〜２０個）、使用アンペア数によるが１０ｃｍの間に１個〜１０個ぐらいを１列に並べて固着したものである。列は１列であるが、２列又はそれ以上でもよい。
ＬＥＤを単に固定するだけでなく、電源ラインや整流装置その他のＬＥＤに必要な器具も固定されていてもよい。
【００１５】
この平面板の大きさは自由であるが、（幅）１〜５ｃｍ×（長さ）１０〜１２０ｃｍ×（厚み）０．１〜１０ｍｍ程度が普通である。材質としては、アルミニウム等の金属、耐熱性のプラスチック、セラミック、木等が使用できる。この平面板は、３枚以上使用するが、それはすべて同じものでも、異なるものを使用してもよい。
【００１６】
断面が互いに「平面板の数の矩形」を形成するとは、平面板が３枚の場合には三角形、４枚の場合は四角形という意味である。形状的には、例えば、三角形の場合、全体として三角柱（三角柱以外もある）のような外観になるように平面板を組み合わせることをいう。ここでいう断面とは、平面板の短辺側から見た面をいう。
【００１７】
三角柱や四角柱等以外としては、平面板を卍のように互いに端部を外に延長して組み合わせた形状でもよい。勿論、その他の形状でもよい。本発明では、これらを含めてその断面が互いに平面板の数の矩形を形成するという。
ここでいう組み合わせは、板を溶接、接着、ネジ止め等にように別部材を固着してもよいが、一体成型したものでもよい。例えば、金属やプラスチックを三角筒のように押し出して成型する方法、圧縮成型する方法等である。
【００１８】
また、平面板にさらに、放熱用として他の部材を固着（一体成型）してもよい。単なる板、フィン、その他放熱効果の大きなものが好適である。この放熱板にもＬＥＤを設けてもよい。そうすればより広い範囲に電磁波が放射できる。
【００１９】
本発明でいうカバーとは、ＬＥＤ部を覆うものや、蛍光灯のガラス管のような収納具であり、少なくともＬＥＤの部分をカバーするものをいう。形状的には断面が円形や矩形の硬質の筒体でも、柔軟な筒体で内容物の形状に沿った形状になるようなものでもよい。例えば、断面が三角になるようなものでは三角に、四角になるようなものは四角にという意味である。材質はガラスでもプラスチックでもよく、フッ素系樹脂の柔軟な筒体が好適である。
また、本発明の主目的である広い範囲に放射ということから、このカバーも光（紫外線も含む）を単に透過するのはなく、拡散して透過（一部反射）するものが好ましい。拡散させるためには、カバーの内面に凹凸を設けることも好ましい。
【００２０】
ＬＥＤは熱を発生するため、平面板が熱を持つ。よって、それを冷却するため、本発明では平面板を組み合わせて、その間は空気通過部分を残しておくのがよい。この空間を通して対流が起こり空気が流通して冷却効果が発生する。
さらに、より強制的に冷却する方法として、この空間付近（カバーの中であればどこでもよい）にファン（送風機）を設けてもよい。
【００２１】
また、ファンによって空冷にする変わりに水冷にしてもよい。即ち、空隙部にパイプやチューブを設けてその中に水を通すのである。この方が冷却効果は大きい。簡単なポンプを設ければよい。
【００２２】
上記したカバーは、反射がゼロということはないため、ＬＥＤからの電磁波はカバーで反射されてまた戻ることになる。この戻った電磁波のために反射板を設けて、再度外に出すようにしてもよい。反射板としては、アルミニウムのような金属板が好ましい。この反射板も広い範囲に反射するように、表面を粗（小さい凹凸を設ける）にしておいてもよい。
反射板は、上記した放熱板や平面板を兼ねることもできる。
【００２３】
放射する光は、主に虫の感知する紫外線と可視光線であるため、紫外線と可視光線の反射率の高い反射板が好適である。さらに、昆虫の飛来接近やゴミなどからＬＥＤモジュールなどを保護するためにカバーを設けることも好適である。
【００２４】
本発明のＬＥＤ放射器の用途として、可視光ランプや紫外線ランプとして、即ち照明器具や殺菌灯、殺虫器、その他従来の可視光や紫外線を利用するものなら何でも使用できる。
【発明の効果】
【００２５】
本発明ＬＥＤ放射器には次のような大きな利点がある。
（１）  ＬＥＤであるにもかかわらず、電磁波が広範囲に向かって放射される。それによって、電磁波の効果が広範囲に及ぶ。
（２）  安価で簡単に製造できる。
（３）  空間があり冷却効果が大きい。
（４）  冷却装置があるにもかかわらず、全方位的に放射できる。
（５）  放熱板や反射板等を設けたものでは、よりそれらの効果が大きくなる。かつ、それらにもＬＥＤを設けたものは、より広範囲に放射できる。
【図面の簡単な説明】
【００２６】
【図１】本発明に用いる平面板１の１例を示す斜視図である。
【図２】図１の平面板１を３枚組み合わせたところを示す側面図である。
【図３】図１の平面板１を３枚他の方法で組み合わせたところを示す側面図である。
【図４】図２のように組み合わせたものをカバー６の中に収納した例を示す斜視図である。
【図５】図４のものの光の放射状態を示す概略側面図である。
【図６】四角形状に組み合わせた例の側面図である。
【図７】本発明の他の例であり、平面板２に放熱板７が取り付けられたものを示す斜視図である。
【図８】図７の例をカバー６の中に収納した例を示す断面図である。
【図９】紫外線放射ＬＥＤを固着したものを捕虫器に使用した断面図である。
【図１０】紫外線放射ＬＥＤを固着したものを捕虫器に使用した他の例の断面図である。
【発明を実施するための形態】
【００２７】
以下実施例に基づいて、本発明をより詳細に説明する。
図１は、本発明に用いる平面板１の１例を示す斜視図である。アルミニウム製の板２に多数のＬＥＤ３が固定されている。このＬＥＤ３の表面が光るのである。
【００２８】
図２は、図１の平面板１を３枚組み合わせたところである。これが上記した「平面板を卍のように互いに端部を外に延長して組み合わせた形状」の例である。ＬＥＤ３を固着している側が外側になっている。このときに３つの平面板１の中間部に空間４が形成されている。この空間に空気が流通し冷却効果を発揮する。図３は、図１の平面板１を正三角形型に組み合わせたものである。このように組み合わせると、中間部分が大きくなり放熱が大きくなる。
【００２９】
図４は、本発明ＬＥＤ放射器５を示すもので、図２のように組み合わせたものをカバー６の中に収納したものである。カバー６としてはフッ素樹脂系のプラスチック製である。整流器等の電源装置はこのカバー６の外に設けられている。その他の端部の蓋等は通常通りでよい。
【００３０】
図５は、図４のものの光の放射状態を示す。ほぼ全方向に光が放射されていることがわかる。図６は、四角形状に組み合わせた例である。このようにすれば、より全周囲的に放射できる。
【００３１】
図７は、アルミニウム製であり一体成型で製造されている。構造的には、それぞれの平面板２に放熱板７が取り付けられたものである。そして、ＬＥＤ３が多数固着されている。
【００３２】
図８は、図７のものを柔軟な筒状のカバー６に入れたものであり、カバー６の断面が三角形になっているのがわかる。勿論、ぴったりでなく遊びがあってもよい。
【００３３】
図９は、図４の例と同じ形式の本発明ＬＥＤ放射器（紫外線タイプ）を捕虫器８に使用した例を示す横断面図である。この例では、前面に虫が通過できる網９があり、中心位置にＬＥＤ放射器５が固定されている。ＬＥＤ放射器５の上下に、粘着紙１０（板状でもよい）があり、内面部１１は反射板になっている。
【００３４】
図１０も図４の例と同じ形式の本発明ＬＥＤ放射器を利用した捕虫器であり、前面に目の粗い網９があり、中に２本のＬＥＤ放射器５が設けられている。また、図９の例と同じように背面や上下は反射板１１になっている。背面の中央付近に吸引口１２が設けられ吸引装置（図示略）につながっている。この付近にきた虫は、吸引力によって吸引され捕虫される。
【００３５】
このような背面側に吸引装置があり、そこで虫を捕獲する場合、その方向にも、即ち、図１０でいうとＬＥＤ放射器５の左側にも放射されていると効果が大きくなる。裏側に放射しないと、その方向に飛んだ虫がまた、前に帰ってきてしまう可能性があるためである。
【符号の説明】
【００３６】
１  平面板１
２  板
３  ＬＥＤ
４  空間
５  本発明ＬＥＤ放射器
６  カバー
７  放熱板
８  捕虫器
９  網
１０  粘着部
１１  反射板
１２  吸引装置
【図１】
2015204782.tif 000003
【図２】
2015204782.tif 000004
【図３】
2015204782.tif 000005
【図４】
2015204782.tif 000006
【図５】
2015204782.tif 000007
【図６】
2015204782.tif 000008
【図７】
2015204782.tif 000009
【図８】
2015204782.tif 000010
【図９】
2015204782.tif 000011
【図１０】
2015204782.tif 000012